(57)【要約】【課題】インデックスプランジャの高さを低くする。【解決手段】ピン９または本体２にボール収容穴１３を設け、このボール収容穴１３内にボール１４とバネ１７を収容する。本体２に設けられた貫通穴８の内周面またはピン９の外周面に第一の溝部１５および第二の溝部１６を設ける。ピン９が、その先端が本体２から所定量突出した位置になるまで本体２に対し移動されると、バネ１７に付勢されているボール１４が第一の溝部１５に係合し、当該位置においてピン９が本体２に対し係止される一方、ピン９が、その先端が本体２から所定量突出した位置から本体２内に引き込まれる向きに移動されて行くと、バネ１７に付勢されているボール１４が第二の溝部１６に係合し、当該位置においてピン９が本体２に対し係止されるようにする。【選択図】図６
2019044904.tif 000002
【特許請求の範囲】
【請求項１】
当該インデックスプランジャを支持させるべきプランジャ支持体に取り付けられる本体と、
前記本体に設けられた貫通穴と、
前記貫通穴に、該貫通穴の長さ方向かつ自己の軸方向に移動可能に嵌合されたピンと、
前記ピンの基端部に、少なくとも軸方向には該ピンと一体的に移動するように取り付けられている操作部材と、
前記ピンまたは前記本体に、前記ピンに直交する方向に設けられたボール収容穴と、
前記ボール収容穴に収容されたボールと、
それぞれ前記貫通穴の内周面または前記ピンの外周面に円周方向に設けられた第一の溝部および第二の溝部と、
前記ボール収容穴に収容されており、前記ボールを前記貫通穴の内周面または前記ピンに向かって付勢するバネとを有してなり、
前記ピンが該ピンの先端が前記本体から所定量突出した位置になるまで前記本体に対し軸方向に移動されると、前記ボール収容穴の開口が前記第一の溝部に対向し、前記バネに付勢されている前記ボールが前記第一の溝部に係合し、当該位置において前記ピンが前記本体に対し係止される一方、前記ピンが該ピンの先端が前記本体から所定量突出した位置から該ピンが前記本体内に引き込まれる向きに軸方向に移動されて行き、前記ボール収容穴の開口が前記第二の溝部に対向すると、前記バネに付勢されている前記ボールが前記第二の溝部に係合し、当該位置において前記ピンが前記本体に対し係止されるようになっているインデックスプランジャ。
【請求項２】
前記ボール収容穴は前記ピンに、前記第一の溝部および前記第二の溝部は前記貫通穴の内周面にそれぞれ設けられており、
前記ボール収容穴に２つの前記ボールが収容されており、前記バネは２つの前記ボールの間に収容されていて、２つの前記ボールを互いに反対向き、かつ前記貫通穴の内周面に向かって付勢している請求項１記載のインデックスプランジャ。
【請求項３】
前記ボール収容穴は前記本体に、前記第一の溝部および前記第二の溝部は前記ピンの外周面にそれぞれ設けられており、
１つの前記ボール収容穴に１つの前記ボールが収容されており、前記バネは前記ボールを前記ピンに向かって付勢している請求項１記載のインデックスプランジャ。
【請求項４】
前記操作部材は円板状をなしている請求項１乃至３のいずれか１項に記載のインデックスプランジャ。
【発明の詳細な説明】
【技術分野】
【０００１】
本発明は、物品の固定や位置決め等に使用されるインデックスプランジャに関する。
【背景技術】
【０００２】
インデックスプランジャは、例えば、特許文献１に示されているように、本体と、この本体に対し昇降可能な操作部材およびピンを有しており、固定ないしは位置決めの対象となる対象体の近傍に配置されたプランジャ支持体に前記本体を取り付けた上、対象体を固定ないしは位置決めするときは、本体からピンを所定量突出させて対象体に設けられたピン挿入穴に挿入する一方、対象体の固定ないしは位置決めを解除するときは、操作部材を操作してピンを本体に対し引き上げ、ピン挿入穴から抜き出すようになっている。
【先行技術文献】
【特許文献】
【０００３】
【特許文献１】特開２０１０−１９３５２号公報（段落[００２９]、図８，１３）
【発明の概要】
【発明が解決しようとする課題】
【０００４】
しかし従来は、例えば特許文献１に示されているように、バネが本体とピンとの間に軸方向に介装されており、本体からピンを所定量突出して対象体を固定ないしは位置決めする場合は、バネの付勢力により操作部材およびピンが本体に対し押し下げられる一方、対象体の固定ないしは位置決めを解除するときは、バネに抗して操作部材およびピンを本体に対し引き上げるようになっていた。
【０００５】
このため、従来のインデックスプランジャにおいては、前記バネの存在により、インデックスプランジャの高さ、特にインデックスプランジャのプランジャ支持体からの突出高さを高くせざるを得ないという問題があった。
【０００６】
本発明は、このような従来の事情に鑑みてなされたもので、本発明の目的の一つは、インデックスプランジャの高さ、特にプランジャ支持体からの突出高さを低くすることができるインデックスプランジャを提供することにある。
【０００７】
本発明のさらに他の目的は、以下の説明から明らかになろう。
【課題を解決するための手段】
【０００８】
本発明によるインデックスプランジャは、
当該インデックスプランジャを支持させるべきプランジャ支持体に取り付けられる本体と、
前記本体に設けられた貫通穴と、
前記貫通穴に、該貫通穴の長さ方向かつ自己の軸方向に移動可能に嵌合されたピンと、
前記ピンの基端部に、少なくとも軸方向には該ピンと一体的に移動するように取り付けられている操作部材と、
前記ピンまたは前記本体に、前記ピンに直交する方向に設けられたボール収容穴と、
前記ボール収容穴に収容されたボールと、
それぞれ前記貫通穴の内周面または前記ピンの外周面に円周方向に設けられた第一の溝部および第二の溝部と、
前記ボール収容穴に収容されており、前記ボールを前記貫通穴の内周面または前記ピンに向かって付勢するバネとを有してなり、
前記ピンが該ピンの先端が前記本体から所定量突出した位置になるまで前記本体に対し軸方向に移動されると、前記ボール収容穴の開口が前記第一の溝部に対向し、前記バネに付勢されている前記ボールが前記第一の溝部に係合し、当該位置において前記ピンが前記本体に対し係止される一方、前記ピンが該ピンの先端が前記本体から所定量突出した位置から該ピンが前記本体内に引き込まれる向きに軸方向に移動されて行き、前記ボール収容穴の開口が前記第二の溝部に対向すると、前記バネに付勢されている前記ボールが前記第二の溝部に係合し、当該位置において前記ピンが前記本体に対し係止されるようになっているものである。
【０００９】
本発明のインデックスプランジャにおいては、従来のように本体とピンとの間にバネが介装されていないので、インデックスプランジャの高さ、特にプランジャ支持体からの突出高さを低くすることができる。
【発明の効果】
【００１０】
本発明のインデックスプランジャは、インデックスプランジャの高さ、特にプランジャ支持体からの突出高さを低くすることができる等の優れた効果を得られるものである。
【図面の簡単な説明】
【００１１】
【図１】本発明によるインデックスプランジャの実施例１を示す分解斜視図である（ボールおよびバネは図示を省略している）。
【図２】実施例１をピンの先端が本体の筒状部から所定量突出した状態において示す斜視図である。
【図３】実施例１を示す平面図である。
【図４】実施例１をピンの先端が本体の筒状部から所定量突出した状態において示す正面図である。
【図５】実施例１を示す底面図である。
【図６】図３のＶＩ−ＶＩ線における断面図である。
【図７】図６のボール収容穴付近を示す拡大断面図である。
【図８】図７のＶＩＩＩ−ＶＩＩＩ線における断面図である。
【図９】実施例１において、ピンが引き上げられ、ピン先端が本体の筒状部内に引き込まれた状態を示す縦断面図である。
【図１０】実施例１の使用状態の一例を示す一部断面図である。
【図１１】実施例２において、ピンの先端が本体の筒状部から所定量突出した状態を示す縦断面図である。
【図１２】実施例２において、ピン先端が本体内の筒状部に引き込まれた状態を示す縦断面図である。
【発明を実施するための形態】
【００１２】
以下、本発明を図面に示す実施例に基づいて説明する。
【実施例１】
【００１３】
図１〜９は、本発明のインデックスプランジャの実施例１を示し、図１０は実施例１の使用状態の一例を示している。
【００１４】
インデックスプランジャ１の本体２は鋼鉄等の金属またはプラスチックからなり、該本体２の上部側をなす工具嵌合部３と、該本体２の下部側をなす筒状部４とを一体的に有している。前記工具嵌合部３は、厚い円板の一部を２つの平行な面３ａが形成されるように該円板に対し垂直方向に切り落とした形状をなしており、スパナ（オープンエンドレンチ）等の工具（図示せず）を平行な面３ａに嵌合して本体２を回転できるようになっている。なお、この工具嵌合部３の形状は、工具を嵌合できる形状であればよく、横断面正六角形状等の他の形状としてもよい。前記筒状部４は工具嵌合部３に対し垂直方向に延びており、かつ工具嵌合部３と軸心を共通にしている。また、この該筒状部４の外周には、工具嵌合部３に隣接するごく短い部分を除いて、雄ねじ部５が設けられている。そして、この雄ねじ部５を図１０に示されるようにプランジャ支持体６に設けられたねじ穴となっている取付穴７に螺合することにより、本体２をプランジャ支持体６に螺着し、取り付けることができるようになっている。
【００１５】
図６および９によく示されているように、前記本体２の中心部には、工具嵌合部３および筒状部４の両方に渡って、軸方向に横断面円形の貫通穴８が明けられている。この貫通穴８には、横断面円形のピン９が貫通穴８の長さ方向かつ該ピン９の軸方向に移動可能に嵌合されている。前記ピン９の基端部（上端部）には、該ピン９の基端部にかしめられることにより、円板状の操作部材１０がピン９に対し垂直をなすように固定されている。したがって、本実施例では、操作部材１０はいずれの方向にもピン９と一体的に移動するようになっているが、本発明においては、操作部材１０は、少なくとも軸方向にはピン９と一体的に移動するようにピン９に取り付けられていればよく、ピン９に対して回転方向には可動となっていてもよい。前記操作部材１０の中心部にはかしめ作業のために穴１１が設けられているが、美観のため、かしめ作業後、穴１１はプラスチック等からなる蓋材１２により覆われている。
【００１６】
前記ピン９には、該ピン９に直交する方向に直線状に伸びる横断面円形のボール収容穴１３が設けられており、このボール収容穴１３には２つのボール１４が収容されている。前記貫通穴８の内周面には、第一の溝部１５および第二の溝部１６がそれぞれ円周方向に全周に渡って設けられている。前記ボール収容穴１３には、２つのボール１４の間に圧縮コイルバネからなるバネ１７が収容されており、２つのボール１４を貫通穴８の内周面に向かって互いに反対向きに付勢している。
【００１７】
次に、本実施例のインデックスプランジャ１の使用方法および作動を説明する。
【００１８】
図２，４および６は、インデックスプランジャ１のピン９の先端が本体２の筒状部４から所定量突出した位置にある状態を示している。この状態では、ボール収容穴１３の両側の開口が第一の溝部１５に対向され、バネ１７に付勢されている２つのボール１４が第一の溝部１５にそれぞれ係合し、当該位置においてピン９が本体２に対し係止されている。図７および８は、このように２つのボール１４が第一の溝部１５にそれぞれ係合している状態の拡大断面図である。なお、この状態では、操作部材１０の下面は本体２の工具嵌合部３の上面に当接している。
【００１９】
次に、上述の図４および６のようにピン９の先端が本体２の筒状部４から所定量突出した位置から、操作部材１０を本体２に対し引き上げると、ピン９も引き上げられ、ボール１４と第一の溝部１５との係合が解除され、操作部材１０とともにピン９が軸方向上向きに移動されて行き、図９のようにピン９の先端が本体２の筒状部４内に引き込まれると、ボール収容穴１３の両側の開口が第二の溝部１６に対向され、バネ１７に付勢されているボール１４が第二の溝部１６に係合し、当該位置においてピン９が本体２に対し係止される。
【００２０】
また、逆に、図９の状態から操作部材１０を本体２に対し押し下げると、ピン９も押し下げられ、ボール１４と第二の溝部１６との係合が解除され、操作部材１０とともにピン９が軸方向下向きに移動されて行き、再び図４および６のように、ピン９の先端が本体２の筒状部４から所定量突出すると、ボール収容穴１３の両側の開口が第一の溝部１５に対向し、バネ１７に付勢されているボール１４が第一の溝部１５に係合し、当該位置においてピン９が本体２に対し係止される。
【００２１】
実際に使用する場合には、図１０に示されるように、筒状部４の雄ねじ部５をプランジャ支持体６に設けられた取付穴７に螺合する（この際、工具嵌合部３に工具を嵌合して本体２を回転させる）ことにより、本体２をプランジャ支持体６に螺着固定し、インデックスプランジャ１１の筒状部４の先端を対象体１８に対向させる。本実施例における対象体１８は、プランジャ支持体６に対して位置を固定された回転軸１９回りに回転可能となっており、その外周にピン挿入穴２０を複数設けられている。
【００２２】
そして、操作部材１０を押し下げることにより、インデックスプランジャ１のピン９の先端を本体２の筒状部４から所定量突出させてピン挿入穴２０に侵入させれば、対象体１８をその位置に固定したり、位置決めすることができる。また、操作部材１０を引き上げ、ピン９の先端を本体２の筒状部４内に引き込ませれば、前記固定ないしは位置決めを解除できる。
【００２３】
なお、図１０に示したプランジャ支持体６および対象体１８は、あくまで本発明を理解しやすくするために一例として示したものであり、本発明のインデックスプランジャ１に関し使用されるプランジャ支持体６および対象体１８は、図１０のような構造のものに限定されることはない。
【００２４】
このインデックスプランジャ１においては、従来のように本体２とピン９との間にバネが介装されていないので、インデックスプランジャ１の高さ、特に図６，９および１０に示されているようにプランジャ支持体６（工具嵌合部３の下端）からの突出高さＨ1，Ｈ2（Ｈ1はピン９先端突出時における突出高さ、Ｈ2はピン９先端引き込み時における突出高さ）を低くすることができる。
【実施例２】
【００２５】
図１１および１２は、本発明の実施例２を示している。本実施例においては、ピン９ではなく、本体２の工具嵌合部３の方に、ボール収容穴１３が設けられている。このボール収容穴１３の設置方向は実施例１と同じでピン９に直交する方向である。第一の溝部１５および第二の溝部１６は、貫通穴８の内周面ではなく、ピン９の外周面の方に円周方向に全周に渡って設けられている（なお、本実施例では実施例1の場合と逆に、第一の溝部１５の方が上方、第二の溝部１６の方が下方に設けられている）。前記ボール収容穴１３の本体２外周面側の開口は蓋材２１により閉じられている。前記ボール収容穴１３の蓋材２１より内方の部分には、１つのボール１４が収容されるとともに、ボール１４と蓋材２１との間に圧縮コイルバネからなるバネ１７が収容されており、該バネ１７はボール１４をピン９に向かって付勢している。
【００２６】
他の構成は、実施例１と同様である。
【００２７】
本実施例においても、前記実施例１の場合と同様の作動が行われる。次に、これについて説明する。
【００２８】
図１１は、インデックスプランジャ１のピン９の先端が本体２の筒状部４から所定量突出した位置にある状態を示している。この状態では、ボール収容穴１３のピン９側の開口が第一の溝部１５に対向され、バネ１７に付勢されているボール１４が第一の溝部１５に係合し、当該位置においてピン９が本体２に対し係止されている。
【００２９】
次に、図１１の状態から、操作部材１０を本体２に対し引き上げると、ピン９も引き上げられ、ボール１４と第一の溝部１５との係合が解除され、操作部材１０とともにピン９が軸方向上向きに移動されて行き、図１２のようにピン９の先端が本体２内に引き込まれると、ボール収容穴１３のピン９側の開口が第二の溝部１６に対向され、バネ１７に付勢されているボール１４が第二の溝部１６に係合し、当該位置においてピン９が本体２に対し係止される。
【００３０】
また、逆に、図１２の状態から操作部材１０を本体２に対し押し下げると、ピン９も押し下げられ、ボール１４と第二の溝部１６との係合が解除され、操作部材１０とともにピン９が軸方向下向きに移動されて行き、再び図１１のように、ピン９の先端が本体２の筒状部４から所定量突出すると、ボール収容穴１３のピン９側の開口が第一の溝部１５に対向し、バネ１７に付勢されているボール１４が第一の溝部１５に係合し、当該位置においてピン９が本体２に対し係止される。
【００３１】
なお、本実施例では貫通穴８が１つのみ設けられているが、貫通穴８を本体２の中心から外周側に向かって異なる方向（例えば互いに１８０度や９０度をなす方向）に延びるように複数設け、各貫通穴８にボール１４およびバネ１７を収容するようにすれば、ピン９を本体２により強力に係止できる。
【００３２】
本実施例においても、従来のように本体２とピン９との間にバネ１７が介装されていないので、インデックスプランジャ１の高さ、特に図１１，１２に示されているようにプランジャ支持体６（工具嵌合部３の下端）からの突出高さＨ1，Ｈ2（Ｈ1はピン９先端突出時における突出高さ、Ｈ2はピン９先端引き込み時における突出高さ）を低くすることができる。
【００３３】
なお、前記各実施例では、本体２に工具嵌合部３が設けられているが、工具を使用しないで本体をプランジャ支持体に装着できる場合は、本体に工具嵌合部を設ける必要はない。
【００３４】
また、前記各実施例では、操作部材１０が円板状をなしているが、本発明においては、操作部材は必ずしも円板状をなしていなくてもよい。しかし、前記各実施例のように操作部材を円板状とすれば、インデックスプランジャの高さ、特にプランジャ支持体からの突出高さをより低くすることができる。
【産業上の利用可能性】
【００３５】
以上のように本発明によるインデックスプランジャは、物品の固定や位置決め等に使用されるインデックスプランジャとして有用である。
【符号の説明】
【００３６】
１    インデックスプランジャ
２    本体
３    工具嵌合部
４    筒状部
５    雄ねじ部
６    プランジャ支持体
７    取付穴
８    貫通穴
９    ピン
１０    操作部材
１１    穴
１３    ボール収容穴
１４    ボール
１５    第一の溝部
１６    第二の溝部
１７    バネ
１８    対象体
【図１】
2019044904.tif 000003
【図２】
2019044904.tif 000004
【図３】
2019044904.tif 000005
【図４】
2019044904.tif 000006
【図５】
2019044904.tif 000007
【図６】
2019044904.tif 000008
【図７】
2019044904.tif 000009
【図８】
2019044904.tif 000010
【図９】
2019044904.tif 000011
【図１０】
2019044904.tif 000012
【図１１】
2019044904.tif 000013
【図１２】
2019044904.tif 000014